(57)【要約】【課題】簡易な構成でスイッチのオン・オフを動作させることができ、信頼性の向上を図ることができるインタロックスイッチ機構、及び該インタロックスイッチ機構を有する画像形成装置の提供。【解決手段】画像形成装置本体に軸３５を支点として回動自在に設けられた機構本体部２５は、ブラケット２７と、ブラケット２７に固定されたインタロックスイッチ２９と、スイッチを作動させるアクチェータ３０を有し、引張りバネ３３により元の位置に復帰するようになっている。前ドアカバー２１に固定された単板又は棒状の押圧部材２４により機構本体部２５が回動すると、左ドアカバー２２に固定された単板又は棒状の押圧部材２６によりアクチェータ３０が押圧され、インタロックスイッチ２９がオンする。【選択図】　図３
2004106342.tif 000002
【特許請求の範囲】
【請求項１】
装置本体と該装置本体に開閉自在に設けられたドアカバーのいずれか一方に設けられた押圧部材と、他方に設けられ上記押圧部材の押圧作用で動作する可動部材と該可動部材により作動するスイッチを備えた機構本体部を有し、上記ドアカバーが開放されているときは上記装置本体の動作のための通電を遮断するインタロックスイッチ機構において、
上記押圧部材が上記一方に位置固定された単体部材であり、該押圧部材の当接作用のみで上記スイッチのオン・オフ動作が可能であることを特徴とするインタロックスイッチ機構。
【請求項２】
請求項１記載のインタロックスイッチ機構において、
上記機構本体部が上記他方に変位自在に支持され、上記押圧部材の当接による上記機構本体部自体の変位により上記可動部材が動作することを特徴とするインタロックスイッチ機構。
【請求項３】
請求項２記載のインタロックスイッチ機構において、
上記機構本体部が一端側を支持されて回動自在に設けられ、上記押圧部材が作用しないときは元の位置に復帰するように設けられていることを特徴とするインタロックスイッチ機構。
【請求項４】
請求項３記載のインタロックスイッチ機構において、
上記機構本体部の元の位置への復帰が、弾性部材によりなされることを特徴とするインタロックスイッチ機構。
【請求項５】
請求項３記載のインタロックスイッチ機構において、
上記機構本体部の元の位置への復帰が、該機構本体部の自重によりなされることを特徴とするインタロックスイッチ機構。
【請求項６】
請求項２乃至５のうちの何れか１つに記載のインタロックスイッチ機構において、
上記装置本体が異なる方向に開閉する複数のドアカバーを有し且つこれらのドアカバーにそれぞれ単体部材である上記押圧部材が設けられ、上記機構本体部が上記装置本体に設けられ、１つのドアカバーの押圧部材により上記機構本体部が変位し、他のドアカバーの押圧部材により上記可動部材が動作することを特徴とするインタロックスイッチ機構。
【請求項７】
請求項６記載のインタロックスイッチ機構において、
上記機構本体部に、上記可動部材を覆うガイド部材が該可動部材を動作させることができるように変位可能に設けられ、上記可動部材に対応する上記ドアカバーの押圧部材が上記ガイド部材に当接することを特徴とするインタロックスイッチ機構。
【請求項８】
請求項７記載のインタロックスイッチ機構において、
上記ガイド部材が上記押圧部材を案内する斜面部を有していることを特徴とするインタロックスイッチ機構。
【請求項９】
請求項１乃至８のうちの何れか１つに記載のインタロックスイッチ機構において、
上記機構本体部のベースが板金部材で一体に形成されていることを特徴とするインタロックスイッチ機構。
【請求項１０】
インタロックスイッチ機構を有する画像形成装置において、
上記インタロックスイッチ機構が、請求項１乃至９のうちの何れか１つに記載のものであることを特徴とする画像形成装置。
【発明の詳細な説明】
【０００１】
【発明の属する技術分野】
本発明は、ドアカバーの開閉検知に用いられるインタロックスイッチ機構、該インタロックスイッチ機構を有する複写機、プリンタ、ファクシミリ等の画像形成装置に関する。
【０００２】
【従来の技術】
この種の画像形成装置では、ジャム処理等を行うためにドアカバー（側板）が開閉可能に設けられているが、安全性上、ドアカバーが開放されている状態では画像形成装置の動作が行われないように、画像形成装置への通電を遮断するインタロックスイッチ機構が設けられている。
ドアカバーが２面ある場合には各ドアカバーごとにインタロックスイッチ機構が設けられ、それぞれのドアカバーにおいてインタロックスイッチのオン・オフが行われるようになっている。しかしながら、このような画像形成装置においては、ドアカバーの開閉に順番があるという制約があり、また、インタロックスイッチの動作精度が落ちるという不具合もあった。
【０００３】
このような問題に対処すべく、特開平１１−３０５５１２号公報や特開２０００−２１４６４５号公報には、１つのインタロックスイッチ機構に異なる方向に開閉する複数のドアカバーを連動させ、ドアカバーの開閉順に拘わらずインタロックスイッチ機能が得られるようにするとともに、インタロックスイッチの動作精度も向上させた提案がなされている。
これらの従来技術においてはいずれも、各々のドアカバーにリンク機構の押圧部材が設けられており、これらの押圧部材により画像形成装置本体に設けられた機構本体部のスイッチをオン・オフするようになっている。機構本体部は、押圧部材により押されて移動する可動部材（アクチュエータ）と、これらの可動部材に押されて作動するスイッチを一体的に有する構成となっている。
【０００４】
【特許文献１】
特開平１１−３０５５１２号公報
【特許文献２】
特開２０００−２１４６４５号公報
【特許文献３】
特開２００１−２５５７９２号公報
【０００５】
【発明が解決しようとする課題】
しかしながら、上記各従来技術ではスイッチのオン・オフを動作させる押圧部材としてリンク機構を採用しているため、構成が複雑であり、長期的使用の観点からはその複雑さ故の動作精度の低下が懸念されていた。
【０００６】
そこで、本発明は、簡易な構成でスイッチのオン・オフを動作させることができ、信頼性の向上を図ることができるインタロックスイッチ機構、及び該インタロックスイッチ機構を有する画像形成装置の提供を、その主な目的とする。
【０００７】
【課題を解決するための手段】
上記目的を達成するために、請求項１記載の発明では、装置本体と該装置本体に開閉自在に設けられたドアカバーのいずれか一方に設けられた押圧部材と、他方に設けられ上記押圧部材の押圧作用で動作する可動部材と該可動部材により作動するスイッチを備えた機構本体部を有し、上記ドアカバーが開放されているときは上記装置本体の動作のための通電を遮断するインタロックスイッチ機構において、上記押圧部材が上記一方に位置固定された単体部材であり、該押圧部材の当接作用のみで上記スイッチのオン・オフ動作が可能である、という構成を採っている。
【０００８】
請求項２記載の発明では、請求項１記載のインタロックスイッチ機構において、上記機構本体部が上記他方に変位自在に支持され、上記押圧部材の当接による上記機構本体部自体の変位により上記可動部材が動作する、という構成を採っている。
【０００９】
請求項３記載の発明では、請求項２記載のインタロックスイッチ機構において、上記機構本体部が一端側を支持されて回動自在に設けられ、上記押圧部材が作用しないときは元の位置に復帰するように設けられている、という構成を採っている。
【００１０】
請求項４記載の発明では、請求項３記載のインタロックスイッチ機構において、上記機構本体部の元の位置への復帰が、弾性部材によりなされる、という構成を採っている。
【００１１】
請求項５記載の発明では、請求項３記載のインタロックスイッチ機構において、上記機構本体部の元の位置への復帰が、該機構本体部の自重によりなされる、という構成を採っている。
【００１２】
請求項６記載の発明では、請求項２乃至５のうちの何れか１つに記載のインタロックスイッチ機構において、上記装置本体が異なる方向に開閉する複数のドアカバーを有し且つこれらのドアカバーにそれぞれ単体部材である上記押圧部材が設けられ、上記機構本体部が上記装置本体に設けられ、１つのドアカバーの押圧部材により上記機構本体部が変位し、他のドアカバーの押圧部材により上記可動部材が動作する、という構成を採っている。
【００１３】
請求項７記載の発明では、請求項６記載のインタロックスイッチ機構において、上記機構本体部に、上記可動部材を覆うガイド部材が該可動部材を動作させることができるように変位可能に設けられ、上記可動部材に対応する上記ドアカバーの押圧部材が上記ガイド部材に当接する、という構成を採っている。
【００１４】
請求項８記載の発明では、請求項７記載のインタロックスイッチ機構において、上記ガイド部材が上記押圧部材を案内する斜面部を有している、という構成を採っている。
【００１５】
請求項９記載の発明では、請求項１乃至８のうちの何れか１つに記載のインタロックスイッチ機構において、上記機構本体部のベースが板金部材で一体に形成されている、という構成を採っている。
【００１６】
請求項１０記載の発明では、インタロックスイッチ機構を有する画像形成装置において、上記インタロックスイッチ機構が、請求項１乃至９のうちの何れか１つに記載のものである、という構成を採っている。
【００１７】
【発明の実施の形態】
以下、本発明の第１の実施形態を図１乃至図４に基づいて説明する。
まず、図１に基づいて本実施形態における画像形成装置としてのカラーレーザープリンタ１００の構成の概要を簡単に説明する。このカラーレーザープリンタは１００像担持体としての感光体ドラム及び現像ユニットを４連に配置したタンデム型である。
図１において、画像形成時には書込みユニット１内のポリゴンミラー２から画像データとしてレーザ光が走査され、このレーザ光がイエロー、シアン、マゼンタ、及びブラックの各色成分ごとに色分解され、各色成分は像担持体としての４個の感光体ドラム３（３Ｙ、３Ｍ、３Ｃ、３Ｂ）にそれぞれ照射されてドラム上に潜像が形成される。
これらの静電潜像は、各感光体ドラム３に隣接して配置された４個の現像器４（４Ｙ、４Ｍ、４Ｃ、４Ｂ）によりトナー像として顕像化され、これらは、中間転写体５の転写ベルト６上に一次転写される。一方、給紙トレイ７から給紙コロ８により給紙された用紙Ｐは、レジストローラ対９を経て搬送され、２次転写部１０に至る。ここで、先ほど転写ベルト６上に一次転写された画像は、転写ローラ１１により用紙上に転写され、さらに定着器１２により画像定着される。定着終了後、用紙Ｐは排紙ローラ対１３により装置上面トレイ１４へ排出される。
【００１８】
図１において、符号１５（１５Ｙ、１５Ｍ、１５Ｃ、１５Ｂ）は帯電ローラを、１６（１６Ｙ、１６Ｍ、１６Ｃ、１６Ｂ）は感光体クリーニング装置を、１７はベルトクリーニング装置を、１８は切換爪を、１９は両面画像形成時の搬送経路を、２０は手差しトレイをそれぞれ示している。
【００１９】
図２に示すように、上記カラーレーザープリンタ１００は、異なる方向に開閉可能な前ドアカバー２１と、左ドアカバー２２を有しており、それぞれ矢印で示す方向に開閉可能となっている。
前ドアカバー２１は装置内で紙詰まりした用紙を取り除く際、左ドアカバー２２は現像器、書込ユニットのメンテナンス、廃トナーボトルの交換をする際に開閉される。これらのドアカバー２１、２２が開いた状態（両方開、片方開）では装置動作をオフさせなければならず、これを実現させるために後述するインタロックスイッチ機構が設けられている。インタロックスイッチ機構のオン／オフ動作により装置の通電状態を解除／非解除し、両方のドアカバー２１、２２が完全に閉じたときのみに装置に通電が行われる仕組みになっている。
【００２０】
図３に基づいてインタロックスイッチ機構の詳細を説明する。インタロックスイッチ機構２３は、前ドアカバー２１に固定された単体部材で且つ平板形状の押圧部材２４と、装置本体側に設けられた機構本体部２５と、左ドアカバー２２に固定された単体部材で且つ平板形状の押圧部材２６を有している。
ここで、単体部材とは、複数の部材が可動自在に連結されたリンク機構等と区別されるもので、単一部材で形成されたものだけでなく、複数の部材が一体に固定された概念を含む意味である。押圧部材２４、２６は平板形状に限らず、棒状等でも構わない。
機構本体部２５は、ブラケット２７と、該ブラケット２７にネジ２８により固定されたインタロックスイッチ２９と、該インタロックスイッチ２９を作動させる可動部材としてのアクチェータ３０と、ブラケット２７に形成されたバネ係止部３１と装置本体に固定されたバネ係止部３２間に掛けられた弾性部材としての引張りバネ３３を有している。符号３４は通電用のハーネスを示している。
ブラケット２７は下端部を装置本体に設けられた軸３５により前ドアカバー２１の開閉方向に回動自在に支持されている。
【００２１】
前ドアカバー２１に一体に位置固定された押圧部材２４は、前ドアカバー２１の開閉に伴って矢印の方向（図中の左右方向）に移動する。一方、左ドアカバー２２に一体に位置固定された押圧部材２６は、左ドアカバー２２の開閉に伴って紙面の厚み方向に移動する。
図４に示すように、前ドアカバー２１が閉じられると、押圧部材２４が左側に移動してブラケット２７を押圧し、ブラケット２７は軸３５を支点として左側へ回動する。ここで、左ドアカバー２２が閉じている場合、すなわち押圧部材２６が二点鎖線で示す位置に存在する場合、アクチェータ３０が押圧部材２６に押され、インタロックスイッチ２９はオンの状態になる。
ブラケット２７は引張りバネ３３の付勢力を受けながら前ドアカバー２１の押圧部材２４による押圧力も受けるので、外力による破損を防止して耐久性、ひいてはインタロックスイッチ機構１００の信頼性の向上を図るために本実施形態では板金部材としてのクロムフリー鋼板で一体に形成している。
【００２２】
左ドアカバー２２が開いている場合、すなわち二点鎖線で示す位置に押圧部材２６が存在しない場合にはアクチェータ３０は押圧負荷を受けないので、前ドアカバー２１の閉じ動作によりブラケット２７が回動してインタロックスイッチ２９が反時計回り方向に回動してもインタロックスイッチ１６はオフのままである。
この状態で左ドアカバー２２が閉じられて、押圧部材２６によりアクチェータ３０が押圧されてインタロックスイッチ２９がオンしたとき、装置本体の非通電状態が解除される。
【００２３】
装置本体の通電状態において、前ドアカバー２１が開放されると、ブラケット２７は引張りバネ３３の付勢力で右側の元の位置に復帰し、これによって左ドアカバー２２の押圧部材２６によるアクチェータ３０への押圧作用が無くなってインタロックスイッチ２９はオフとなる。
前ドアカバー２１が閉じられている状態で左ドアカバー２２のみが開放された場合でも押圧部材２６によるアクチェータ３０への押圧作用が無くなるのでインタロックスイッチ２９はオフとなる。図４において、符号３６は機構本体部２５の装置本体における変位動作を含めた設置スペースを示している。
【００２４】
本実施形態では異なる方向に開閉するドアカバーの構成で例示したが、上記機構本体部２５自体の変位方式は１個のドアカバーの場合でも実施できる。例えば前ドアカバー２１のみの場合、装置本体側にアクチェータ３０を押圧する部材を固定しておけばよい。
また、本実施形態では機構本体部２５を装置本体に設け、押圧部材２４、２６をドアカバーに設けたが、逆態様でもよい。
また、機構本体部２５の変位を回動方式としたが、リニアスライド方式としてもよく、これらの場合、引張りバネ３３を用いずに機構本体部２５の自重で元の位置（前ドアカバー２１の押圧部材２４による負荷を受けない位置）に復帰するようにしてもよい。回動方式の場合には機構本体部２５の重心位置をずらすことにより、スライド方式の場合にはガイドレールを傾斜させることで実現できる。
【００２５】
次に、図５乃至図７に基づいて第２の実施形態を説明する。なお、上記実施形態と同一部分は同一符号で示し、特に必要がない限り既にした構成上及び機能上の説明は省略する。また、要部のみ説明する。
本実施形態ではブラケット２７にインタロックスイッチ２９が容量の関係で２個重ねて固定されており、スイッチを押すアクチェータ３０も２個存在する。これらの２個のアクチェータ３０を覆うようにガイド部材としてのガイド板３７がブラケット２７に軸３８を支点として回動自在に取り付けられている。
ガイド板３７は、２個のアクチェータ３０を押す押圧部３７ａと、左ドアカバー２２の押圧部材２６を案内する斜面部３７ｂを有している。本実施形態では斜面部３７ｂはガイド板３７を折り曲げることにより一体に形成されている。
【００２６】
図６は機構本体部２５の装置本体への取り付け状態を示す斜視図である。機構本体部２５は１つのユニットとして構成されており、装置本体に取り付ける場合には、ブラケット２７の下端部を装置本体側の軸３５に挿通した後、引張りバネ３３をバネ係止部３１と３２間に掛ければよい。
図７に示すように、前ドアカバー２１が閉じられている状態で左ドアカバー２２が閉じられると、押圧部材２６はガイド板３７の斜面部３７ｂに当接し、これによりガイド板３７は円滑に前ドアカバー２１側へ回動変位する。このガイド板３７の変位により２個のアクチェータ３０がほぼ同時に押圧され、２個のインタロックスイッチ２９もほぼ同時にオンする。
左ドアカバー２２側ではアクチェータ３０を横から押すようになっており、前ドアカバー２１側がアクチェータ３０を正面から押すのに比べてアクチェータ３０への押圧力が掛かりにくいが、ガイド板３７によりこれを補正することができる。。
この押圧部材２６との当接を円滑にする斜面部３７ｂは第１の実施形態においても設けることが望ましい。また、左ドアカバー２２の押圧部材２６自体にアクチェータ３０との接触をスムーズにする斜面部を設けるようにしても同様の機能を得ることができる。
【００２７】
【発明の効果】
請求項１又は１０記載の発明によれば、装置本体と該装置本体に開閉自在に設けられたドアカバーのいずれか一方に設けられた押圧部材と、他方に設けられ上記押圧部材の押圧作用で動作する可動部材と該可動部材により作動するスイッチを備えた機構本体部を有し、上記ドアカバーが開放されているときは上記装置本体の動作のための通電を遮断するインタロックスイッチ機構において、上記押圧部材が上記一方に位置固定された単体部材であり、該押圧部材の当接作用のみで上記スイッチのオン・オフ動作が可能である構成としたので、リンク機構を用いる従来構成に比べて部品点数の低減による低コスト化を実現できるとともに、簡易構成による長期的動作信頼性の向上を図ることができる。また、インタロックスイッチ機構設置の小スペース化を実現できる。
【００２８】
請求項２又は１０記載の発明によれば、請求項１記載のインタロックスイッチ機構において、上記機構本体部が上記他方に変位自在に支持され、上記押圧部材の当接による上記機構本体部自体の変位により上記可動部材が動作する構成としたので、リンク機構を用いる従来構成に比べて部品点数の低減による低コスト化を実現できるとともに、簡易構成による長期的動作信頼性の向上を図ることができる。
【００２９】
請求項３又は１０記載の発明によれば、請求項２記載のインタロックスイッチ機構において、上記機構本体部が一端側を支持されて回動自在に設けられ、上記押圧部材が作用しないときは元の位置に復帰するように設けられている構成としたので、スイッチのオン・オフの状態を確実に得ることができる。
【００３０】
請求項４又は１０記載の発明によれば、請求項３記載のインタロックスイッチ機構において、上記機構本体部の元の位置への復帰が、弾性部材によりなされる構成としたので、機構本体部の復帰を確実にでき、スイッチのオン・オフの状態を確実に得ることができる。
【００３１】
請求項５又は１０記載の発明によれば、請求項３記載のインタロックスイッチ機構において、上記機構本体部の元の位置への復帰が、該機構本体部の自重によりなされる構成としたので、機構本体部の構成の簡易化を実現できる。
【００３２】
請求項６又は１０記載の発明によれば、請求項２乃至５のうちの何れか１つに記載のインタロックスイッチ機構において、上記装置本体が異なる方向に開閉する複数のドアカバーを有し且つこれらのドアカバーにそれぞれ単体部材である上記押圧部材が設けられ、上記機構本体部が上記装置本体に設けられ、１つのドアカバーの押圧部材により上記機構本体部が変位し、他のドアカバーの押圧部材により上記可動部材が動作する構成としたので、リンク機構を用いる従来構成に比べて部品点数の低減による低コスト化を実現できるとともに、簡易構成による長期的動作信頼性の向上を図ることができる。
【００３３】
請求項７又は１０記載の発明によれば、請求項６記載のインタロックスイッチ機構において、上記機構本体部に、上記可動部材を覆うガイド部材が該可動部材を動作させることができるように変位可能に設けられ、上記可動部材に対応する上記ドアカバーの押圧部材が上記ガイド部材に当接する構成としたので、容量の関係でスイッチ数が増加してもこれらを同時にオン・オフさせることができる。
【００３４】
請求項８又は１０記載の発明によれば、請求項７記載のインタロックスイッチ機構において、上記ガイド部材が上記押圧部材を案内する斜面部を有している構成としたのでガイド部材と押圧部材の接触をスムーズにできるとともにガイド部材の変位をスムーズにできる。
【００３５】
請求項９又は１０記載の発明によれば、請求項１乃至８のうちの何れか１つに記載のインタロックスイッチ機構において、上記機構本体部のベースが板金部材で一体に形成されている構成としたので、機構本体部ベースの耐久性、ひいてはインタロックスイッチ機構の信頼性の向上を図ることができる。
【図面の簡単な説明】
【図１】本発明の第１の実施形態における画像形成装置としてのカラーレーザープリンタの概要正面図である。
【図２】ドアカバーの開閉状態を示す斜視図である。
【図３】インタロックスイッチ機構の概要正面図である。
【図４】２つのドアカバーを閉じてインタロックスイッチがオンした状態の概要正面図である。
【図５】第２の実施形態におけるインタロックスイッチ機構の概要斜視図である。
【図６】図５で示したインタロックスイッチ機構の取付に係る分解斜視図である。
【図７】２つのアクチェータが同時に押圧される状態を示す要部正面図である。
【符号の説明】
２１、２２　ドアカバー
２４、２６　押圧部材
２５　機構本体部
２７　機構本体部のベースとしてのブラケット
２９　スイッチとしてのインタロックスイッチ
３７　ガイド部材としてのガイド板
３７ｂ　斜面部
【図１】
2004106342.tif 000003
【図２】
2004106342.tif 000004
【図３】
2004106342.tif 000005
【図４】
2004106342.tif 000006
【図５】
2004106342.tif 000007
【図６】
2004106342.tif 000008
【図７】
2004106342.tif 000009